(57)【要約】【課題】遠隔操作による制御においても、利用者が制御値を容易に認識できるオーディオ信号処理装置、スピーカ装置、映像表示装置、通信装置およびオーディオシステムを提供すること。【解決手段】本発明の実施形態に係るオーディオシステム１においては、スピーカ装置１０の放音部１２０から、通信装置２０の携帯オーディオ装置において再生しているオーディオ信号Ｓｉｎが放音され、複数のスピーカ装置１０と通信装置２０とが接続されているときには、利用者は、通信装置２０の操作部２１３、２５５の操作により、容易に遠隔操作で複数のスピーカ装置１０全体の全体ボリューム値を制御できるとともに、各スピーカ装置１０の個別ボリューム値をそれぞれ制御することができる。【選択図】図２
2010056970.tif 000002
【特許請求の範囲】
【請求項１】
通信装置と、当該通信装置との無線通信により接続される複数のスピーカ装置を有するオーディオシステムにおいて、
前記通信装置は、
前記複数のスピーカ装置から一部のスピーカ装置を特定スピーカ装置として特定する特定手段と、
設定対象として、前記複数のスピーカ装置全体、または前記特定スピーカ装置のいずれかを選択する選択手段と、
前記選択手段によって選択された設定対象を示す選択情報を送信する選択情報送信手段と、
信号処理のパラメータを指示する指示手段と、
前記指示手段による指示に応じた設定情報を前記スピーカ装置に対して送信する設定情報送信手段と
を具備し、
前記スピーカ装置の各々は、
オーディオ信号を取得する取得手段と、
全体設定情報および個別設定情報を記憶する記憶手段と、
前記取得手段によって取得されたオーディオ信号に対して、前記記憶手段に記憶されている前記全体設定情報および前記個別設定情報に応じて信号処理を施して出力する信号処理手段と、
前記信号処理手段から出力されたオーディオ信号を放音する放音手段と、
前記通信装置から、前記設定情報を受信する設定情報受信手段と、
前記通信装置から、前記選択情報を受信する選択情報受信手段と、
前記選択情報受信手段によって複数のスピーカ装置全体を示す選択情報が受信されると、前記設定情報受信手段によって受信された設定情報に応じて、前記記憶手段に記憶されている全体設定情報を更新する全体設定情報更新手段と、
前記選択情報受信手段によって特定スピーカ装置を示す選択情報が受信されると、当該特定スピーカ装置が自装置である場合には、前記設定情報受信手段が受信した設定情報に応じて、前記記憶手段に記憶されている個別設定情報を更新する個別設定情報更新手段と
を具備する
ことを特徴とするオーディオシステム。
【請求項２】
前記スピーカ装置の各々は、
前記選択情報受信手段によって特定スピーカ装置を示す選択情報が受信されると、当該特定スピーカ装置が自装置であるときに、自装置が特定スピーカ装置であることを報知する報知手段
をさらに具備する
ことを特徴とする請求項１に記載のオーディオシステム。
【請求項３】
前記通信装置は、
前記設定情報として記憶する記憶手段と、
前記設定対象として前記複数のスピーカ装置全体が選択されると、全体設定情報を取得し、前記設定対象として前記特定のスピーカ装置が選択されると、当該特定スピーカ装置に係る個別設定情報を取得する設定情報取得手段と、
前記設定情報取得手段によって全体設定情報または個別設定情報が取得されると、当該全体設定情報または個別設定情報に応じて、前記記憶手段に記憶されている設定情報を更新する第１の更新手段と、
前記指示手段による指示に応じて、前記記憶手段に記憶されている設定情報を更新する第２の更新手段と、
前記記憶手段に記憶されている設定情報に応じた表示を行う表示手段と
をさらに具備する
ことを特徴とする請求項１または請求項２に記載のオーディオシステム。
【請求項４】
前記設定情報取得手段による個別設定情報の取得は、前記特定スピーカ装置から個別設定情報を受信することによって行われ、
前記スピーカ装置の各々は、
前記選択情報受信手段によって特定スピーカ装置を示す選択情報が受信されると、当該特定スピーカ装置が自装置である場合には、前記記憶手段に記憶されている個別設定情報を送信する個別設定情報送信手段
をさらに具備する
ことを特徴とする請求項３に記載のオーディオシステム。
【請求項５】
前記スピーカ装置の各々は、
前記記憶手段に記憶されている個別設定情報が示すパラメータの変更を指示する指示手段と、
前記個別設定情報更新手段は、前記指示手段によって個別設定情報が示すパラメータの変更が指示されると、当該指示に応じて、前記記憶手段に記憶されている個別設定情報を更新する指示更新手段と、
をさらに具備する
ことを特徴とする請求項４に記載のオーディオシステム。
【請求項６】
前記設定情報取得手段による全体設定情報の取得は、前記スピーカ装置に対して、全体設定情報の送信を要求し、その応答により受信した全体設定情報に応じて行われ、
前記スピーカ装置の各々は、
前記通信装置から全体設定情報の送信の要求があると、前記記憶手段に記憶されている全体設定情報を送信する全体設定情報送信手段
をさらに具備する
ことを特徴とする請求項３乃至請求項５のいずれかに記載のオーディオシステム。
【請求項７】
前記通信装置は、
前記設定対象が複数のスピーカ装置全体から特定スピーカ装置に変わるときに、前記記憶手段に記憶されている設定情報を読み出して全体設定情報として記憶する全体設定情報記憶手段
をさらに具備し、
前記設定情報取得手段による全体設定情報の取得は、前記全体設定情報記憶手段に記憶されている全体設定情報を読み出すことにより行われる
ことを特徴とする請求項３乃至請求項５のいずれかに記載のオーディオシステム。
【請求項８】
前記通信装置は、
オーディオ信号を前記複数のスピーカ装置に対して送信するオーディオ信号送信手段
をさらに具備し、
前記スピーカ装置の各々は、
前記通信装置からオーディオ信号を受信するオーディオ信号受信手段
をさらに具備し、
前記取得手段によって取得されるオーディオ信号は、前記オーディオ信号受信手段によって受信されたオーディオ信号である
ことを特徴とする請求項１乃至請求項７のいずれかに記載のオーディオシステム。
【請求項９】
前記信号処理のパラメータは、増幅率を示すパラメータであり、
前記信号処理手段によって前記オーディオ信号に施される信号処理は、前記記憶手段に記憶されている前記全体設定情報および前記個別設定情報応じた増幅率で増幅する信号処理である
ことを特徴とする請求項１乃至請求項８のいずれかに記載のオーディオシステム。
【請求項１０】
オーディオ信号を取得する取得手段と、
信号処理のパラメータを示す全体設定情報および個別設定情報を記憶する記憶手段と、
前記取得手段によって取得されたオーディオ信号に対して、前記記憶手段に記憶されている前記全体設定情報および前記個別設定情報に応じて信号処理を施して出力する信号処理手段と、
前記信号処理手段から出力されたオーディオ信号を放音する放音手段と、
外部装置から信号処理のパラメータを示す設定情報を無線通信によって受信する設定情報受信手段と、
前記設定情報受信手段によって受信された設定情報を、全体設定情報または個別設定情報のいずれかとすることを示す選択情報を受信する選択情報受信手段と、
前記選択情報受信手段によって全体設定情報を示す選択情報が受信されると、前記設定情報受信手段によって受信された設定情報に応じて、前記記憶手段に記憶されている全体設定情報を更新する全体設定情報更新手段と、
前記選択情報受信手段によって個別設定情報を示す選択情報が受信されると、前記設定情報受信手段によって受信された設定情報に応じて、前記記憶手段に記憶されている個別設定情報を更新する個別設定情報更新手段と
を具備することを特徴とするスピーカ装置。
【発明の詳細な説明】
【技術分野】
【０００１】
本発明は、複数のスピーカ装置と無線通信する通信装置における遠隔操作の技術に関する。
【背景技術】
【０００２】
複数のスピーカを有する多チャンネルオーディオ再生装置などの音響機器は、各スピーカから放音される各チャンネルのボリューム値をそれぞれ設定可能になっている（例えば、特許文献１）。このような音響機器は、その装置内の構成において各チャンネルに対してボリューム値の設定が行われ、この設定は、リモコン装置を用いても可能である。
【特許文献１】特開２００３−１５８８００号公報
【発明の開示】
【発明が解決しようとする課題】
【０００３】
ところで、リモコン装置により遠隔操作可能な音響機器が複数ある場合、この複数の音響機器は、リモコン装置の操作により全て同じ遠隔操作がなされ、ボリューム値を設定すると、複数の音響機器全てが同じボリューム値として設定されてしまう。一方、個別に設定する場合は、上述の各チャンネルに対応してボリューム値を設定するのと同様に、全ての音響機器に対して、個別に制御できるように、それぞれリモコン装置との対応関係がとれるように予め設定しておく必要があり、新たに音響機器が増加した場合には、それに対して別途対応関係を設定しなくてはならなかった。
【０００４】
本発明は、上述の事情に鑑みてなされたものであり、複数の音響機器を遠隔操作により制御するときに、全体の音響機器の制御と個別の音響機器の制御とを容易に行うことができるオーディオシステムおよびスピーカ装置を提供することを目的とする。
【課題を解決するための手段】
【０００５】
上述の課題を解決するため、本発明は、通信装置と、当該通信装置との無線通信により接続される複数のスピーカ装置を有するオーディオシステムにおいて、前記通信装置は、前記複数のスピーカ装置から一部のスピーカ装置を特定スピーカ装置として特定する特定手段と、設定対象として、前記複数のスピーカ装置全体、または前記特定スピーカ装置のいずれかを選択する選択手段と、前記選択手段によって選択された設定対象を示す選択情報を送信する選択情報送信手段と、信号処理のパラメータを指示する指示手段と、前記指示手段による指示に応じた設定情報を前記スピーカ装置に対して送信する設定情報送信手段とを具備し、前記スピーカ装置の各々は、オーディオ信号を取得する取得手段と、全体設定情報および個別設定情報を記憶する記憶手段と、前記取得手段によって取得されたオーディオ信号に対して、前記記憶手段に記憶されている前記全体設定情報および前記個別設定情報に応じて信号処理を施して出力する信号処理手段と、前記信号処理手段から出力されたオーディオ信号を放音する放音手段と、前記通信装置から、前記設定情報を受信する設定情報受信手段と、前記通信装置から、前記選択情報を受信する選択情報受信手段と、前記選択情報受信手段によって複数のスピーカ装置全体を示す選択情報が受信されると、前記設定情報受信手段によって受信された設定情報に応じて、前記記憶手段に記憶されている全体設定情報を更新する全体設定情報更新手段と、前記選択情報受信手段によって特定スピーカ装置を示す選択情報が受信されると、当該特定スピーカ装置が自装置である場合には、前記設定情報受信手段が受信した設定情報に応じて、前記記憶手段に記憶されている個別設定情報を更新する個別設定情報更新手段とを具備することを特徴とするオーディオシステムを提供する。
【０００６】
また、別の好ましい態様において、前記スピーカ装置の各々は、前記選択情報受信手段によって特定スピーカ装置を示す選択情報が受信されると、当該特定スピーカ装置が自装置であるときに、自装置が特定スピーカ装置であることを報知する報知手段をさらに具備することを特徴とする。
【０００７】
また、別の好ましい態様において、前記通信装置は、前記設定情報として記憶する記憶手段と、前記設定対象として前記複数のスピーカ装置全体が選択されると、全体設定情報を取得し、前記設定対象として前記特定のスピーカ装置が選択されると、当該特定スピーカ装置に係る個別設定情報を取得する設定情報取得手段と、前記設定情報取得手段によって全体設定情報または個別設定情報が取得されると、当該全体設定情報または個別設定情報に応じて、前記記憶手段に記憶されている設定情報を更新する第１の更新手段と、前記指示手段による指示に応じて、前記記憶手段に記憶されている設定情報を更新する第２の更新手段と、前記記憶手段に記憶されている設定情報に応じた表示を行う表示手段とをさらに具備することを特徴とする。
【０００８】
また、別の好ましい態様において、前記設定情報取得手段による個別設定情報の取得は、前記特定スピーカ装置から個別設定情報を受信することによって行われ、前記スピーカ装置の各々は、前記選択情報受信手段によって特定スピーカ装置を示す選択情報が受信されると、当該特定スピーカ装置が自装置である場合には、前記記憶手段に記憶されている個別設定情報を送信する個別設定情報送信手段をさらに具備することを特徴とする。
【０００９】
また、別の好ましい態様において、前記スピーカ装置の各々は、前記記憶手段に記憶されている個別設定情報が示すパラメータの変更を指示する指示手段と、前記個別設定情報更新手段は、前記指示手段によって個別設定情報が示すパラメータの変更が指示されると、当該指示に応じて、前記記憶手段に記憶されている個別設定情報を更新する指示更新手段と、をさらに具備することを特徴とする。
【００１０】
また、別の好ましい態様において、前記設定情報取得手段による全体設定情報の取得は、前記スピーカ装置に対して、全体設定情報の送信を要求し、その応答により受信した全体設定情報に応じて行われ、前記スピーカ装置の各々は、前記通信装置から全体設定情報の送信の要求があると、前記記憶手段に記憶されている全体設定情報を送信する全体設定情報送信手段をさらに具備することを特徴とする。
【００１１】
また、別の好ましい態様において、前記通信装置は、前記設定対象が複数のスピーカ装置全体から特定スピーカ装置に変わるときに、前記記憶手段に記憶されている設定情報を読み出して全体設定情報として記憶する全体設定情報記憶手段をさらに具備し、前記設定情報取得手段による全体設定情報の取得は、前記全体設定情報記憶手段に記憶されている全体設定情報を読み出すことにより行われることを特徴とする。
【００１２】
また、別の好ましい態様において、前記通信装置は、オーディオ信号を前記複数のスピーカ装置に対して送信するオーディオ信号送信手段をさらに具備し、前記スピーカ装置の各々は、前記通信装置からオーディオ信号を受信するオーディオ信号受信手段をさらに具備し、前記取得手段によって取得されるオーディオ信号は、前記オーディオ信号受信手段によって受信されたオーディオ信号であることを特徴とする。
【００１３】
また、別の好ましい態様において、前記信号処理のパラメータは、増幅率を示すパラメータであり、前記信号処理手段によって前記オーディオ信号に施される信号処理は、前記記憶手段に記憶されている前記全体設定情報および前記個別設定情報応じた増幅率で増幅する信号処理であることを特徴とする。
【００１４】
また、本発明は、オーディオ信号を取得する取得手段と、信号処理のパラメータを示す全体設定情報および個別設定情報を記憶する記憶手段と、前記取得手段によって取得されたオーディオ信号に対して、前記記憶手段に記憶されている前記全体設定情報および前記個別設定情報に応じて信号処理を施して出力する信号処理手段と、前記信号処理手段から出力されたオーディオ信号を放音する放音手段と、外部装置から信号処理のパラメータを示す設定情報を無線通信によって受信する設定情報受信手段と、前記設定情報受信手段によって受信された設定情報を、全体設定情報または個別設定情報のいずれかとすることを示す選択情報を受信する選択情報受信手段と、前記選択情報受信手段によって全体設定情報を示す選択情報が受信されると、前記設定情報受信手段によって受信された設定情報に応じて、前記記憶手段に記憶されている全体設定情報を更新する全体設定情報更新手段と、前記選択情報受信手段によって個別設定情報を示す選択情報が受信されると、前記設定情報受信手段によって受信された設定情報に応じて、前記記憶手段に記憶されている個別設定情報を更新する個別設定情報更新手段とを具備することを特徴とするスピーカ装置を提供する。
【発明の効果】
【００１５】
本発明によれば、複数の音響機器を遠隔操作により制御するときに、全体の音響機器の制御と個別の音響機器の制御とを容易に行うことができるオーディオシステムおよびスピーカ装置を提供することができる。
【発明を実施するための最良の形態】
【００１６】
以下、本発明の一実施形態について説明する。
【００１７】
＜実施形態＞
本発明の実施形態に係るオーディオシステム１は、図１に示すように、複数のスピーカ装置１０−１、１０−２、１０−３（以下、それぞれを区別しない場合にはスピーカ装置１０という）および通信装置２０を有する。図１は、オーディオシステム１の構成を示す説明図である。まず、オーディオシステム１の概要を説明する。
【００１８】
利用者に携帯される通信装置２０は、矢印ＡＲ１のように移動することによって、スピーカ装置１０−１、１０−２、１０−３と順に近づくと、それぞれ無線通信により順に接続され、通信装置２０により再生されているオーディオ信号が、接続されたスピーカ装置１０−１、１０−２、１０−３に送信されることにより放音される。ここで、利用者は、通信装置２０を操作して、スピーカ装置１０全体に対して共通の全体ボリューム値を設定し、また、スピーカ装置１０の各々に対して個別の個別ボリューム値を設定することができる。そして、各スピーカ装置１０からは、設定された全体ボリューム値と個別ボリューム値とに応じた音量で放音される。これにより、通信装置２０から特定の範囲内のスピーカ装置１０からは、それぞれ設定された全体ボリューム値と個別ボリューム値とに応じた音量でオーディオ信号は放音される。
【００１９】
図２は、オーディオシステム１のスピーカ装置１０と通信装置２０についての外観を示す説明図である。図２に示すように、通信装置２０は、携帯オーディオ装置２１と通信モジュール２５とが接続されたものであり、通信装置２０の通信モジュール２５とスピーカ装置１０の通信部１５０との間で無線通信が行われる。以下、スピーカ装置１０、通信装置２０のそれぞれの構成について、図３、図４を用いて順に説明する。図３は、スピーカ装置１０の構成を示すブロック図である。図４は、通信装置２０の構成を示すブロック図である。
【００２０】
スピーカ装置１０は、図３に示すように、オーディオ信号処理装置１００および放音部１２０を有する。オーディオ信号処理装置１００は、制御部１０１、電力供給部１０２、増幅部１０３、操作部１１０、記憶部１１１、通信部１５０および発光部１８０を有する。通信部１５０は、電力の供給を受けて動作する無線通信部１５１および通信制御部１５２を有する。
【００２１】
無線通信部１５１は、出力する電波の強度に応じた通信範囲内に存在する通信装置２０を検索して無線通信を物理レベルで確立（以下、無線通信の確立とは、物理レベルでの確立をいう）し、無線通信を確立した通信装置２０と、通信制御部１５２の制御より通信行う。また、後述のように通信制御部１５２によって通信装置２０と接続するように制御されると、接続状態である期間においては、その通信装置２０から送信されるエンコードされたオーディオ信号Ｓｉｎを受信してデコード処理することにより取得したオーディオ信号Ｓｉｎ（この例においては、ステレオ２チャンネル）を出力する。
【００２２】
同様に、スピーカ装置１０と通信装置２０とが接続状態である期間においては、無線通信部１５１は、信号処理のパラメータ（この例においては、ボリューム値（０、１、２、・・・、２５５））を示す設定情報が含まれる制御信号Ｓｃを、通信装置２０から受信して取得して出力する。また、後述のように通信装置２０によって特定されるスピーカ装置１０（以下、特定スピーカ装置という）またはスピーカ装置全体を示す選択情報、全体ボリューム値を示す全体設定情報の送信要求を示す送信要求情報が含まれる要求信号Ｓｒについても、通信装置２０から受信して取得して出力する。なお、特定情報は、装置ＩＤなどにより特定スピーカ装置を示すようにすればよい。
【００２３】
すなわち、スピーカ装置１０と通信装置２０とが接続された状態とは、通信装置２０から送信されるオーディオ信号Ｓｉｎ、制御信号Ｓｃ、要求信号Ｓｒがスピーカ装置１０において受信して取得することができる状態である。このとき、制御信号Ｓｃ、要求信号Ｓｒが通信されるチャンネルと、オーディオ信号Ｓｉｎが通信されるチャンネルとは同一チャンネル（別周波数）としている。オーディオ信号Ｓｉｎと違い、使用頻度の低い制御信号Ｓｃのために別のチャンネルを占有するとそのチャンネルの使用効率が悪くなるから、好ましくない。したがって、オーディオ信号Ｓｉｎのために確保しているチャンネルの中に混ぜ込み、通信されるオーディオ信号Ｓｉｎの隙を見つけて制御信号Ｓｃを通信した方が、制御信号Ｓｃのために別チャンネルを設けるより効率が良い。この例においては、オーディオ信号Ｓｉｎは所定の間隔で通信され、オーディオ信号Ｓｉｎが通信されていない期間に制御信号Ｓｃが通信されるようになっている。なお、要求信号Ｓｒについても、制御信号Ｓｃと同様に扱ってもよい。
【００２４】
また、無線通信部１５１は、制御部１０１から出力されるフィードバック信号Ｓｆを通信装置２０に対して送信する。フィードバック信号Ｓｆには、後述するように、スピーカ装置１０が操作されたことにより変化したボリューム値を示す設定情報が含まれている。フィードバック信号Ｓｆが通信されるチャンネルについては、制御信号Ｓｃ、要求信号Ｓｒが通信されるチャンネルと同じチャンネルであっても別チャンネルであってもよい。
【００２５】
通信制御部１５２は、無線通信部１５１の通信を制御する。この制御は、例えば、制御内容を示す信号を通信制御部１５２から無線通信部１５１に出力することによって行われる。通信制御部１５２は、無線通信部１５１によって物理レベルで無線通信が確立された通信装置２０と信号の送受信を行うように制御し、その結果、予め設定された接続条件を満たすと、その通信装置２０との接続を開始させるように無線通信部１５１を制御する。また、通信制御部１５２は、通信装置２０との接続状態であるときに、予め設定された切断条件を満たすと、その接続を切断して接続を終了させる。接続条件および切断条件については、後述する。
【００２６】
また、通信制御部１５２は、制御部１０１に対して、通信装置２０との接続状況を示す接続情報を出力する。これにより制御部１０１は、スピーカ装置１０と通信装置２０とが無線通信により接続されているか否かを認識することができる。なお、通信制御部１５２は、図示しない操作手段の操作などに応じて、無線通信部１５１から出力される電波の強度を変更して、通信範囲を変更できるようにしてもよい。
【００２７】
電力供給部１０２は、増幅部１０３、発光部１８０に対して電力を供給する電源であって、制御部１０１によって、電力供給の開始、停止が制御される。なお、電力の供給先は増幅部１０３、発光部１８０に限らず、図示しない処理回路（例えば、オーディオ信号に対して音響処理を施す回路など）も含まれていてもよいが、通信部１５０および制御部１０１のうち電力供給部１０２を制御する部分については、電力供給部１０２の増幅部１０３、発光部１８０に対する電力供給の開始、停止にかかわらず、電力が供給される。なお、供給する電力は、装置内部に電池などを有することにより装置内部で生成したものであってもよいし、装置外部からコンセントなどを用いて取り入れたものであってもよい。例えば、コンセントが装置外部の電源タップに接続され、電力が供給されている状態であれば、通信部１５０および制御部１０１のうち電力供給部１０２を制御する部分については、常に電力が供給されるようにしてもよい。また、通信部１５０への電力の供給は、電力供給部１０２からの供給に限らず、これとは別に設けられた電力供給部から供給されるようにしてもよい。
【００２８】
増幅部１０３は、電力供給部１０２から電力の供給を受けると、起動、初期化処理が行われ、入力されるオーディオ信号、すなわち無線通信部１５１から出力されるオーディオ信号Ｓｉｎについて制御部１０１に設定された増幅率で増幅して、オーディオ信号Ｓｏｕｔとして出力する。なお、制御部１０１の制御により、電力供給部１０２から電力の供給を受けた直後から、予め設定された時間かけて、第１の増幅率から、さらに大きい第２の増幅率（後述するボリューム値に応じた増幅率）に徐々に変化するようにして、増幅部１０３の増幅率が設定されてもよい。
【００２９】
操作部１１０は、図２に示すように、操作子１１０Ａ、１１０Ｂを有し、操作子１１０Ａ、１１０Ｂが操作されると、操作された操作子を示す操作信号を制御部１０１に出力する。この例においては、操作子１１０Ａは、ボリューム値について「１」減少させる変更を指示する操作子であり、操作子１１０Ｂは、ボリューム値について「１」増加させる変更を指示する操作子である。なお、操作子は、このような操作子に限らず、ロータリエンコーダ、数値入力可能なキーボードなどであってもよい。
【００３０】
記憶部１１１は、例えば不揮発性メモリなどの記憶手段であって、全体設定情報および個別設定情報を記憶する。全体設定情報、個別設定情報は、それぞれ上述した全体ボリューム値、個別ボリューム値であって、ともにボリューム値を示すものである。
【００３１】
放音部１２０は、Ｌチャンネル用、Ｒチャンネル用のスピーカを有し、増幅部１０３から出力されたオーディオ信号Ｓｏｕｔの各チャンネルの信号をそれぞれのチャンネル用のスピーカから放音する。
【００３２】
発光部１８０は、ＬＥＤ（Ｌｉｇｈｔ  Ｅｍｉｔｔｉｎｇ  Ｄｉｏｄｅ）などの発光素子であって、電力供給部１０２から電力の供給を受けると、予め設定された態様（常時点灯、点滅など）で発光する。
【００３３】
制御部１０１は、通信制御部１５２からの接続情報により、通信装置２０との接続状態を認識し、スピーカ装置１０と通信装置２０との無線通信による接続が開始されると、電力供給部１０２から増幅部１０３に電力の供給を開始するように制御する。一方、制御部１０１は、スピーカ装置１０と通信装置２０との接続が切断されると、電力供給部１０２から増幅部１０３への電力の供給を停止するように制御する。すなわち、この例においては、通信装置２０との接続開始から切断までの期間は、電力供給部１０２から増幅部１０３に電力が供給され、それ以外の期間は電力の供給が停止している。これらの制御は、例えば、制御内容を示す信号を制御部１０１から電力供給部１０２に出力することによって行われる。
【００３４】
ここで、制御部１０１によって制御される、電力供給部１０２から増幅部１０３に電力の供給を開始するタイミングは、スピーカ装置１０と通信装置２０との無線通信による接続が開始されたタイミングと同じであってもよいし、接続が開始されたタイミングから、予め設定された時間の経過後に電力の供給を開始するようにしてもよい。一方、電力の供給を停止するタイミングについても、スピーカ装置１０と通信装置２０との無線通信による接続が切断されたタイミングと同じであってもよいし、接続が切断されたタイミングから、予め設定された時間の経過後に電力の供給を停止するようにしてもよい。
【００３５】
また、制御部１０１は、スピーカ装置１０と通信装置２０とが無線通信により接続状態になると、要求信号Ｓｒに含まれる選択情報に応じて決定される全体設定モード、個別設定モード、設定停止モードのいずれかの設定モードにより各部を制御する。ここで、各設定モードについて説明する。
【００３６】
まず、個別設定モードとは、制御部１０１が、特定スピーカ装置が自装置を示している選択情報が含まれる要求信号Ｓｒを取得してから、特定スピーカ装置が他装置を示している選択情報、またはスピーカ装置全体を示す選択情報が含まれる要求信号Ｓｒを取得するまでの期間において設定される設定モードである。すなわち、個別設定モードは、通信装置２０から個別ボリューム値の設定対象の特定スピーカ装置とされていることを示すモードである。
【００３７】
次に、設定停止モードとは、制御部１０１が、特定スピーカ装置が他装置を示している選択情報が含まれる要求信号Ｓｒを取得してから、特定スピーカ装置が自装置を示している選択情報、またはスピーカ装置全体を示す選択情報が含まれる要求信号Ｓｒを取得するまでの期間において設定される設定モードである。すなわち、設定停止モードは、通信装置２０から個別ボリューム値の設定対象外のスピーカ装置１０とされていることを示すモードである。
【００３８】
そして、全体設定モードは、個別設定モード、設定停止モード以外の期間において設定される設定モードである。すなわち、全体設定モードは、制御部１０１が、スピーカ装置全体を示している選択情報が含まれる要求信号Ｓｒを取得したときなどに設定されるモードであって、通信装置２０からスピーカ装置全体が設定対象とされていることを示すモードである。したがって、全体設定モードは、通信装置２０と無線通信により接続している全てのスピーカ装置１０に係る全体ボリューム値が並行して設定される。以上が設定モードの説明である。
【００３９】
制御部１０１は、全体設定モードのときに、無線通信部１５１から制御信号Ｓｃを取得すると、制御信号Ｓｃに含まれる設定情報が示すボリューム値になるように、記憶部１１１に記憶されている全体設定情報の全体ボリューム値を更新する。また、制御部１０１は、個別設定モードのときに、無線通信部１５１から制御信号Ｓｃを取得すると、制御信号Ｓｃに含まれる設定情報が示すボリューム値になるように、記憶部１１１に記憶されている個別設定情報の個別ボリューム値を更新する。一方、制御部１０１は、設定停止モードのときに、無線通信部１５１から制御信号Ｓｃを取得しても、全体設定情報、個別設定情報いずれの更新も行わない。なお、設定停止モードのときには、無線通信部１５１において制御信号Ｓｃを受信しない、または制御部１０１に出力しないようにしてもよい。
【００４０】
また、制御部１０１は、操作部１１０から操作信号を取得すると、記憶部１１１に記憶されている個別設定情報の個別ボリューム値を、操作信号に応じて更新する。すなわち、制御部１０１は、取得した操作信号が操作子１１０Ａを示すものであれば、記憶部１１１に記憶されている個別設定情報の個別ボリューム値を「１」減少させ、取得した操作信号が操作子１１０Ｂを示すものであれば、記憶部１１１に記憶されている個別設定情報の個別ボリューム値を「１」増加させるようにして、更新する。このとき、記憶部１１１に記憶されている設定情報のボリューム値に応じて、増減量を変化させてもよい。例えば、ボリューム値が「０」から「１２２」のときは、「１」ずつ増減させ、「１２３」〜「２５５」のときには、「５」ずつ増減させるようにしてもよい。なお、制御部１０１は、個別設定モードであるときには、上述のように、制御信号Ｓｃに含まれる設定情報だけに応じて個別設定情報が更新されるようにし、操作信号に応じて個別設定情報を更新しないようにしてもよい。
【００４１】
そして、制御部１０１は、記憶部１１１に記憶されている全体設定情報および個別設定情報に応じた増幅率を増幅部１０３に対して設定する。この例においては、全体設定情報が示す全体ボリューム値と個別設定情報が示す個別ボリューム値との積に応じて増幅率を設定すればよいが、全体設定情報が示す全体ボリューム値と個別設定情報が示す個別ボリューム値とに応じて増幅率が設定されていれば、どのような態様であってもよい。
【００４２】
また、制御部１０１は、記憶部１１１に記憶されている全体設定情報または個別設定情報のいずれかが設定情報として含まれるフィードバック信号Ｓｆを、無線通信部１５１に出力する。ここで、制御部１０１は、送信要求情報が含まれる要求信号Ｓｒを取得すると、記憶部１１１から全体設定情報を読み出して、この全体設定情報を設定情報として含むフィードバック信号Ｓｆを出力する一方、個別設定モードに他の設定モードから切り替わると、すなわち、特定スピーカ装置が自装置を示している選択情報が含まれる要求信号Ｓｒを取得すると、記憶部１１１から個別設定情報を読み出して、この個別設定情報を設定情報として含むフィードバック信号Ｓｆを出力する。ここで、フィードバック信号Ｓｆの出力は、後述するように、通信装置２０からの状態変化の問い合わせに応じて行われる。
【００４３】
さらに、制御部１０１は、個別設定モードである期間においては、電力供給部１０２から発光部１８０へ電力を供給するように制御し、発光部１８０を予め設定された態様で発光させることにより、自装置が個別設定モードであることを報知する。以上がスピーカ装置１０の構成についての説明である。
【００４４】
次に、通信装置２０の構成について説明する。通信装置２０は、図３に示すように、携帯オーディオ装置２１および通信モジュール２５を有する。携帯オーディオ装置２１は、制御部２１１、記憶部２１２、操作部２１３、表示部２１４、音声出力部２１５およびインターフェイス２１６を有し、それぞれがバス２１０を介して接続され、図示しない電源部（例えば、電池など）から電力の供給を受けている。また、通信モジュール２５は、インターフェイス２５１、無線通信部２５２、通信制御部２５３および操作部２５５を有する。
【００４５】
この携帯オーディオ装置２１と通信モジュール２５とは、インターフェイス２５１、２１６により接続されている。この例においては、通信モジュール２５は、携帯オーディオ装置２１との接続により、携帯オーディオ装置２１の電源部（不図示）から、インターフェイス２５１、２１６を介して電力の供給を受けている。したがって、通信モジュール２５を携帯オーディオ装置２１から取り外して接続を解除すると通信モジュール２５の各部の機能は停止する。なお、通信モジュール２５は、各部に電力を供給する電池を通信モジュール２５の内部に有していてもよい。
【００４６】
制御部２１１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）を有している。ＣＰＵは、ＲＯＭから制御プログラムをＲＡＭに読み出して実行することにより、携帯オーディオ装置２１の各部について、バス２１０を介して制御する。制御部２１１における制御内容については後述する。
【００４７】
記憶部２１２は、例えばハードディスク、不揮発性メモリなどの大容量記憶手段であって、オーディオ信号、映像信号を示すデータなどを記憶する。また、ボリューム値を示す設定情報を記憶する。
【００４８】
操作部２１３は、利用者が操作を行うための操作子を有する。利用者が操作部１５を操作するとその操作内容を表す操作信号が制御部２１１へ出力される。この例においては、操作子には、回転操作ができる操作子があり、後述するように表示部２１４に設定情報に応じた表示がなされているときにおける、この操作子の時計回りの回転は、ボリューム値を増加させる変更を指示するものであり、反時計回りの回転は、ボリューム値を減少させる変更を指示するものである。
【００４９】
表示部２１４は、映像を表示する液晶ディスプレイなどの表示デバイスであって、制御部２１１の制御によって入力される映像信号、画像信号に応じた表示を行う。
【００５０】
音声出力部２１５は、ヘッドホンなどの放音手段を接続する接続端子を有し、制御部２１１の制御によって入力されるオーディオ信号を、接続される放音手段に供給する。
【００５１】
インターフェイス２１６は、外部機器と接続し、様々なデータの入出力をするための接続端子である。この例においては、インターフェイス２１６には通信モジュール２５が接続され、制御部２１１の制御によってオーディオ信号Ｓｉｎ、制御信号Ｓｃを、接続された通信モジュール２５に出力する。また、インターフェイス２１６は、接続された通信モジュール２５からはフィードバック信号Ｓｆが入力され、制御部２１１に出力する。
【００５２】
制御部２１１は、例えば、操作部２１３の利用者による選択、再生操作に応じて、記憶部２１２に記憶されたオーディオ信号を示すデータを読み出して再生し、例えば１６ビット４８ｋＨｚサンプリング×２ｃｈのオーディオ信号Ｓｉｎとして音声出力部２１５およびインターフェイス２１６に出力する。また、制御部２１１は、設定情報が更新されると、すなわち利用者による操作部２１３の操作が行われると、記憶部２１２に記憶されている設定情報を含む制御信号Ｓｃをインターフェイス２１６に出力する。さらに、制御部２１１は、通信装置２０とスピーカ装置１０とが接続されたときにも、記憶部２１２に記憶されている設定情報を含む制御信号Ｓｃを出力するようにしてもよい。
【００５３】
このとき、制御部２１１は、スピーカ装置１０と通信装置２０とが接続状態か否かを示す情報を通信制御部２５３から取得し、接続状態のときは音声出力部２１５へのオーディオ信号Ｓｉｎの出力を停止するようにしてもよいし、接続状態でないときはインターフェイス２１６へのオーディオ信号Ｓｉｎ、制御信号Ｓｃの出力を停止するようにしてもよい。また、オーディオ信号Ｓｉｎを音声出力部２１５に出力するときには、制御部２１１は、記憶部２１２に記憶されている設定情報が示すボリューム値に応じて、オーディオ信号Ｓｉｎの出力レベルを調整してもよいが、インターフェイス２１６に出力するオーディオ信号Ｓｉｎについての出力レベルは調整しない。これは、スピーカ装置１０への送信前にオーディオ信号Ｓｉｎの出力レベルを調整しないことにより、ＳＮ比を高く保つなど音質劣化を少なくすることができるためである。
【００５４】
また、制御部２１１は、記憶部２１２に記憶されている設定情報が示すボリューム値に応じた画像を示す画像信号を生成し、表示部２１４に出力することにより、表示部２１４に設定情報に応じた表示をさせる。この表示は、例えば、図２に示すように設定情報が示すボリューム値、また、そのボリューム値を棒グラフで表して行われる。
【００５５】
さらに、制御部２１１は、インターフェイス２１６からフィードバック信号Ｓｆを取得すると、フィードバック信号Ｓｆに含まれる設定情報に応じて、記憶部２１２に記憶されている設定情報のボリューム値を更新する。
【００５６】
また、制御部２１１は、表示部２１４に設定情報に応じた表示がなされているときに、操作部２１３から取得した操作信号に応じて、記憶部２１２に記憶されている設定情報が示すボリューム値を増減させるようにして、更新する。すなわち、制御部２１１は、取得した操作信号が時計回りの回転を示すものであれば、記憶部２１２に記憶されている設定情報のボリューム値を増加させ、取得した操作信号が反時計回りの回転を示すものであれば、記憶部１１１に記憶されている設定情報のボリューム値を減少させるようにして、更新する。ここで、ボリューム値の増加量、減少量については、操作子の回転量に応じたものとすればよく、予め設定された回転角ごとにボリューム値が「１」ずつ変化するようにすればよい。そして、ボリューム値が変化するたびに制御信号Ｓｃが出力されるようにすればよい。
【００５７】
このように記憶部２１２に記憶されている設定情報が示すボリューム値が更新されると、その更新にあわせて表示部２１４の表示が変化していく。例えば、表示部２１４に表示されたボリューム値が１３５であるときに、ボリューム値が「１」減少するように更新されると、記憶部２１２に記憶されている設定情報が示すボリューム値は「１３５」から「１３４」へ更新されるから、表示部２１４に表示されるボリューム値も「１３４」に変化する。
【００５８】
インターフェイス２５１は、外部機器と接続し、様々なデータの入出力をするための接続端子である。この例においては、インターフェイス２５１には携帯オーディオ装置２１が接続され、携帯オーディオ装置２１のインターフェイス２１６から出力されるオーディオ信号Ｓｉｎ、制御信号Ｓｃを無線通信部２５２に出力する。また、インターフェイス２５１は、無線通信部２５２から出力されるフィードバック信号Ｓｆを携帯オーディオ装置２１のインターフェイス２１６に出力する。
【００５９】
無線通信部２５２は、出力する電波の強度に応じた通信範囲内に存在するスピーカ装置１０を検索して無線通信を物理レベルで確立し、無線通信を確立したスピーカ装置１０と、通信制御部２５３の制御より通信行う。無線通信部２５２は、上述したようにスピーカ装置１０の無線通信部１５１との無線通信により、スピーカ装置１０と通信装置２０との接続が開始されると、その接続が切断されるまでの期間において、インターフェイス２５１から出力されるオーディオ信号Ｓｉｎをエンコードしてスピーカ装置１０に送信する。
【００６０】
ここで、オーディオ信号Ｓｉｎの送信は、スピーカ装置１０と通信装置２０とが接続状態にあるときのみ行われるようにしてもよいし、接続状態に関わらずオーディオ信号Ｓｉｎの送信が行われ、接続状態でないときにはスピーカ装置１０においてオーディオ信号Ｓｉｎが取得されないようにしてもよい。
【００６１】
同様に、スピーカ装置１０と通信装置２０とが接続状態である期間において、無線通信部２５２は、要求信号Ｓｒ、インターフェイス２５１から出力される制御信号Ｓｃについては、通信制御部２５３の制御によりスピーカ装置１０に無線通信により送信する。また、無線通信部２５２は、スピーカ装置１０からフィードバック信号Ｓｆを受信し、インターフェイス２５１に出力する。
【００６２】
操作部２５５は、利用者が操作を行うための操作子を有する。利用者が操作部２５５を操作するとその操作内容を表す操作信号が通信制御部２５３へ出力される。この例においては、操作子にはトグルスイッチが用いられ、オンにするとオンにしたことを示す操作信号が通信制御部２５３に出力される。
【００６３】
通信制御部２５３は、無線通信部２５２の通信を制御する。この制御は、例えば、制御内容を示す信号を通信制御部２５３から無線通信部２５２に出力することによって行われる。通信制御部２５３は、無線通信部２５２によって物理レベルで無線通信が確立されたスピーカ装置１０と信号の送受信を行うように制御し、その結果、スピーカ装置１０の通信制御部１５２と同様に、予め設定された接続条件を満たすと、そのスピーカ装置１０との接続を開始させるように無線通信部２５２を制御する。また、通信制御部２５３は、スピーカ装置１０との接続状態であるときに、予め設定された切断条件を満たすと、その接続を切断して接続を終了させる。また、通信制御部２５３は、接続状態であるスピーカ装置１０を特定する接続リストを記憶する。接続リストについては後述する。なお、通信制御部２５３は、図示しない操作手段の操作などに応じて、無線通信部２５２から出力される電波の強度を変更して、通信範囲を変更できるようにしてもよい。
【００６４】
また、通信制御部２５３は、操作部２５５からの操作信号に応じて選択情報、送信要求情報を生成し、選択情報、送信要求情報が含まれる要求信号Ｓｒを無線通信部２５２から送信させる。この例においては、以下のように選択情報、送信要求情報を生成する。
【００６５】
まず、通信装置２０とスピーカ装置１０とが最初に無線通信により接続されると、通信制御部２５３は、送信要求情報を生成して、そのスピーカ装置１０に対して、その送信要求情報が含まれる要求信号Ｓｒを無線通信部２５２から送信させる。２番目以降に接続されたスピーカ装置１０に対しては、送信要求情報が含まれる要求信号Ｓｒは送信しない。ここで、通信制御部２５３は、無線通信による接続が最初か２番目以降かの判断については、接続リストを参照して行われる。すなわち、接続リストに既にスピーカ装置１０がある場合には、２番目以降と判断することができる。
【００６６】
そして、複数のスピーカ装置１０と接続状態になった後に、操作部２５５の操作により操作信号を取得すると、通信制御部２５３は、接続リストを参照し、いずれかのスピーカ装置１０を特定し、設定対象として特定スピーカ装置を選択するために、特定したスピーカ装置１０を特定スピーカ装置として示す選択情報を生成し、その選択情報が含まれる要求信号Ｓｒを無線通信部２５２から送信させる。この例においては、スピーカ装置１０の特定は、接続リストの上位（接続状態になったのが早い順）から行われる。なお、スピーカ装置１０の特定は、接続リストの上位から行われる態様に限られず、ランダムであってもよい。また、表示部２１４などの表示手段に接続リストに応じた表示を行い、操作部２１３、２５５などの操作手段の操作により特定するようにしてもよいし、各スピーカ装置１０からの無線通信の電波強度を無線通信部２５２において検出して、検出した強度に応じて特定されるようにしてもよい。さらに、予め定められた態様で２以上のスピーカ装置１０が同時に特定されるようにしてもよい。
【００６７】
そして、通信制御部２５３は、操作部２５５の操作により操作信号を取得するたびに、特定されるスピーカ装置１０を変更して、新たに選択情報を生成し、その選択情報が含まれる要求信号Ｓｒを無線通信部２５２から送信させる。これを繰り返すことにより、接続リスト全てのスピーカ装置１０の特定が終了すると、通信制御部２５３は、設定対象としてスピーカ装置全体を選択するために、スピーカ装置全体を示す選択情報を生成し、その選択情報が含まれる要求信号Ｓｒを無線通信部２５２から送信させる。このとき、要求信号Ｓｒには、送信要求情報も含まれるようにする。なお、送信要求情報については、いずれかのスピーカ装置１０を指定して、そのスピーカ装置１０に対して取得させるようにした要求信号Ｓｒとして送信させてもよい。
【００６８】
この後に、通信制御部２５３は、操作部２５５の操作により操作信号を取得すると、設定対象として特定スピーカ装置を選択するために、再び接続リストからいずれかのスピーカ装置１０を特定し、特定したスピーカ装置１０を特定スピーカ装置として示す選択情報を生成し、その選択情報が含まれる要求信号Ｓｒを無線通信部２５２から送信させ、上記過程を繰り返す。このとき、通信モジュール２５に、図示しない発光部を設けて、通信制御部２５３が設定対象としてスピーカ装置全体を選択しているときの発光態様（例えば、緑色の発光）と、特定スピーカ装置を選択しているときの発光態様（例えば、赤色の発光）とを分けておくことで、設定対象が報知されるようにしてもよい。
【００６９】
通信制御部２５３は、利用者による操作部２５５の操作により、様々な内容の選択情報が含まれる要求信号Ｓｒを無線通信部２５２から送信させることにより、これを受信したスピーカ装置１０は、制御部１０１によって各設定モードに設定されることになる。以上が、通信装置２０の構成についての説明である。
【００７０】
次に、オーディオシステム１におけるスピーカ装置１０および通信装置２０の動作について、図５から図１１を用いて説明する。図５は、スピーカ装置１０と通信装置２０との無線通信についての説明図である。図６から図１０は、スピーカ装置１０と通信装置２０とが無線通信により接続されているときのスピーカ装置１０と通信装置２０との動作についての説明図であり、各図は、順に続いているものである。
【００７１】
また、図１１は、図６から図１０までの動作において、各スピーカ装置１０の記憶部１１１における全体設定情報、個別設定情報、通信装置２０の記憶部２１２における設定情報についての変化を示す説明図である。この図の横軸は時刻を示すものであり、縦軸は、設定情報、全体設定情報、個別設定情報のそれぞれのボリューム値について、「０」から「２５５」を「０％」から「１００％」として示したものである。以下の説明においては、図１１との対応からボリューム値については、「０％」から「１００％」に置き換えて説明する。
【００７２】
ここでは、スピーカ装置１０−１、１０−２、１０−３が予め設置され、通信装置２０を利用者が携帯した状態であって、この利用者が、スピーカ装置１０−１、１０−２、１０−３の通信範囲外から通信範囲内に入った後、操作部２１３、２５５を操作して各スピーカ装置１０−１、１０−２、１０−３の全体ボリューム値、個別ボリューム値を変更する指示を行い、通信範囲外に離れていく場合を想定する。また、通信装置２０の携帯オーディオ装置２１においては、利用者の操作によりオーディオ信号が再生されているものとする。この場合におけるスピーカ装置１０と通信装置２０との間で行われる無線通信について説明する。
【００７３】
図５に示すように、まず、スピーカ装置１０および通信装置２０が互いに通信範囲外にいる状態においては、互いに無線通信を確立できる通信相手を検索している。この時点においては、スピーカ装置１０の増幅部１０３には、電力が供給されていない。そして、利用者が移動して、通信装置２０がスピーカ装置１０の通信範囲内に入ると、スピーカ装置１０と通信装置２０とは通信相手を検出し、スピーカ装置１０の無線通信部１５１および通信装置２０の無線通信部２５２によって、互いの無線通信が物理レベルで確立される。
【００７４】
無線通信が確立されると、スピーカ装置１０の通信制御部１５２の制御により、無線通信部１５１は、通信装置２０との接続を要求する情報と自装置を識別する識別情報（例えば、装置ＩＤ、グループＩＤ、製品情報、メーカー情報など）とを含む接続要求信号を、通信装置２０に対して送信する。スピーカ装置１０は、接続要求信号を送信し、接続条件を満たすかどうかの判定を待つ。この例においては、接続条件とは、接続要求信号に応答して、通信装置２０から送信される接続許可を示す接続応答信号をスピーカ装置１０において受信することである。
【００７５】
通信装置２０は、無線通信部２５２によって、スピーカ装置１０から送信された接続要求信号を受信すると、通信制御部２５３は、識別情報を評価してスピーカ装置１０と接続するか否かを判定する。この識別情報の評価による判定は、例えば以下のようにすればよい。スピーカ装置１０における識別情報をグループＩＤ（例えば、グループ１、２、３）として規定し、このグループＩＤは、ディップスイッチなどの操作手段（不図示）によって設定できるようにする。一方、通信装置２０の通信モジュール２５においても、同様に、ディップスイッチなどの操作手段（不図示）によって、通信モジュール２５のグループＩＤを設定できるようにする。
【００７６】
このようなスピーカ装置１０、通信装置２０の構成において、スピーカ装置１０から送信されるグループＩＤを示す識別情報を含む接続要求信号を、通信装置２０の無線通信部２５２において受信すると、通信制御部２５３は、その識別情報が示すグループＩＤと、通信モジュール２５に設定されたグループＩＤとが一致するかどうかを判定すればよい。このようにすれば、接続可能なスピーカ装置１０と通信装置２０とのペアを容易に設定することができるから、複数のスピーカ装置１０が設置されている場合に、各スピーカ装置１０のグループＩＤを設定しておくことで、通信装置２０と無線通信により接続されるスピーカ装置１０を容易に設定することができる。
【００７７】
そして、通信装置２０は、スピーカ装置１０と接続すると判定したときには、接続許可を示す接続応答信号を、スピーカ装置１０に対して送信する。また、スピーカ装置１０と接続しないと判定したときには、接続応答信号を送信しないようにしてもよいし、接続不許可を示す接続応答信号を送信するようにしてもよい。
【００７８】
スピーカ装置１０の通信制御部１５２は、無線通信部１５１により接続許可を示す接続応答信号を受信すると、上述した接続条件を満たしたと判定し、スピーカ装置１０と通信装置２０とを無線通信による接続を開始して、接続状態とする。これにより、オーディオ信号Ｓｉｎ、制御信号Ｓｃ、要求信号Ｓｒおよびフィードバック信号Ｓｆについてスピーカ装置１０と通信装置２０との間で送受信が可能な状態となる。また、制御部１０１は、電力供給部１０２から増幅部１０３に電力を供給させ、記憶部１１１に記憶されている全体設定情報および個別設定情報に応じた増幅率を増幅部１０３に設定する。
【００７９】
ここで、スピーカ装置１０の通信制御部１５２は、一定期間は接続条件についての判定を続けるが、その期間内に無線通信部１５１により接続許可を示す接続応答信号を受信しなかった場合には、この通信装置２０との接続を行わずに、無線通信が確立された状態が維持され、別の通信装置２０が通信範囲内に存在しないかどうかの検索をして、無線通信が確立できる通信装置２０が存在する場合には、上記のようにその通信装置２０との接続を試みる。別の通信装置２０が通信範囲内に存在しないかどうかの検索を開始する。
【００８０】
このように、スピーカ装置１０は、一の通信装置２０と無線通信により接続する一方、通信装置２０は、複数のスピーカ装置１０と無線通信により接続する。そして、接続された複数のスピーカ装置１０から、携帯オーディオ装置２１において再生されたオーディオ信号Ｓｉｎが放音される。
【００８１】
次に、スピーカ装置１０は、通信装置２０と接続を開始すると、切断条件を満たすかどうかの判定を続ける。この例においては、切断条件とは、通信範囲外に通信装置２０が移動したり、通信モジュール２５が携帯オーディオ装置２１から取り外されたりして、無線通信が確立できなくなることである。
【００８２】
通信装置２０を携帯する利用者がさらに移動し、スピーカ装置１０の通信範囲外に移動すると、スピーカ装置１０と通信装置２０とは無線通信が確立できなくなり、スピーカ装置１０の通信制御部１５２、通信装置２０の通信制御部２５３は、上述した切断条件を満たしたと判定し、スピーカ装置１０と通信装置２０との接続を切断する。そして、スピーカ装置１０の制御部１０１は、電力供給部１０２から増幅部１０３への電力の供給を停止させ、また、無線通信部２５２におけるオーディオ信号Ｓｉｎの取得も行われなくなるから、スピーカ装置１０の放音部１２０からの放音が停止する。
【００８３】
次に、スピーカ装置１０−１、１０−２、１０−３と順に通信装置２０との無線通信による接続が開始されるときからのスピーカ装置１０と通信装置２０との動作について、図６から図１１を用いて説明する。なお、電力供給部１０２による増幅部１０３への電力供給についての動作は、ここでは説明を省略する。
【００８４】
まず、図６を用いて説明する。通信装置２０が移動して、スピーカ装置１０−１の通信範囲内に入ると、スピーカ装置１０−１と通信装置２０とが無線通信により接続される。これにより、通信装置２０の通信制御部２５３は、接続リストにスピーカ装置１０−１を示す装置ＩＤなどを追加し、最初に接続状態となったスピーカ装置１０−１に対して、送信要求情報が含まれる要求信号Ｓｒを無線通信部２５２から送信させる。スピーカ装置１０−１の制御部１０１は、この要求信号Ｓｒを受信して取得すると、スピーカ装置１０−１の記憶部１１１に記憶されている全体設定情報を読み出して、読み出した全体設定情報を設定情報として含むフィードバック信号Ｓｒを要求信号Ｓｒの応答として無線通信部１５１に出力し、通信装置２０に送信させる。
【００８５】
通信装置２０がフィードバック信号Ｓｒを受信すると、通信装置２０の制御部２１１は、通信装置２０の記憶部２１２に記憶されている設定情報が示すボリューム値を、フィードバック信号Ｓｆに含まれる設定情報が示すボリューム値になるように更新する。これにより、制御部２１１の制御によって、更新された設定情報が示すボリューム値に応じた表示が表示部２１４にされ、利用者は、スピーカ装置１０−１の記憶部１１１に記憶されている全体設定情報が示す全体ボリューム値、すなわちスピーカ装置１０−１における現在の全体ボリューム値の設定を認識することができる。
【００８６】
さらに通信装置２０が移動して、スピーカ装置１０−２の通信範囲内に入ると、スピーカ装置１０−２と通信装置２０とが無線通信により接続される。これにより、通信装置２０の通信制御部２５３は、接続リストにスピーカ装置１０−２を示す装置ＩＤなどを追加する。そして、通信制御部２５３は、新たなスピーカ装置１０−２と接続したことを制御部２１１に通知すると、制御部２１１は、記憶部２１２に記憶されている設定情報を読み出して、読み出した設定情報を含む制御信号Ｓｃを通信モジュール２５に出力して、無線通信部２５２から送信させる。
【００８７】
なお、無線通信部２５２において最後に通信された制御信号Ｓｃまたはフィードバック信号Ｓｆに含まれる設定情報を、通信制御部２５３において記憶しておけば、制御部２１１に通知しなくても通信モジュール２５内の処理で完結することもできる。すなわち、通信制御部２５３は、通信制御部２５３に記憶されている設定情報を制御信号Ｓｃとして無線通信部２５２から送信させればよい。また、この制御信号Ｓｃは、スピーカ装置１０−１、１０−２に送信されてもよいし、スピーカ装置１０−２を特定して送信されてもよいし、また、この時点においては必ずしも制御信号Ｓｃは送信されなくてもよい。
【００８８】
スピーカ装置１０−２の制御部１０１は、制御信号Ｓｃを受信して取得すると、この時点においては、上述のように、全体設定モードとして設定されているから、制御信号Ｓｃが示す設定情報が示すボリューム値になるように、記憶部１１１に記憶されている全体設定情報が示す全体ボリューム値を更新する。
【００８９】
さらに通信装置２０が移動して、スピーカ装置１０−３の通信範囲内に入ると、スピーカ装置１０−３と通信装置２０とが無線通信により接続される。その後の処理は、スピーカ装置１０−２との接続のときと同じであるから、説明を省略する。このようにして、スピーカ装置１０−１、１０−２、１０−３に設定される全体ボリューム値は一致したものとなる。ここで、通信装置２０の通信制御部２５３に記憶されている接続リストは、図１２に示すように接続順にスピーカ装置１０−１、１０−２、１０−３と並んでいるリストとなる。
【００９０】
次に、図７に進んで説明を続ける。まず、図７に示すｔ０は、図１１における横軸（時刻）のｔ０に対応する。以下、ｔｎ（ｎ＝０、１、２、・・・）についても同様である。ｔ０の時点においては、通信装置２０に係る設定情報が示すボリューム値（以下、ボリューム値Ｖｃという）は「４０％」、全体設定情報が示す全体ボリューム値（以下、全体ボリューム値Ｖａという）は同様に「４０％」となっている。全体ボリューム値Ｖａは、上述のように、接続された後は、後述する処理を行っても個別に異なる値となることは無く、スピーカ装置１０−１、１０−２、１０−３において共通の値となるからまとめて表記している。また、スピーカ装置１０−１に係る個別設定情報が示す個別ボリューム値（以下、個別ボリューム値Ｖｐ１という）は「８０％」、スピーカ装置１０−２に係る個別設定情報が示す個別ボリューム値（以下、個別ボリューム値Ｖｐ２という）は「２０％」、スピーカ装置１０−３に係る個別設定情報が示す個別ボリューム値（以下、個別ボリューム値Ｖｐ３という）は「６０％」となっているものとする。以下、個別ボリューム値Ｖｐ１、Ｖｐ２、Ｖｐ３をまとめて説明する場合には、個別ボリューム値Ｖｐという。
【００９１】
この時点においては、スピーカ装置１０−１の増幅部１０３に設定される増幅率は、全体ボリューム値Ｖａと個別ボリューム値Ｖｐ１との積「４０％」×「８０％」＝「３２％」に応じたものとなり、この例においては、増幅率は、設定可能範囲を「０％」から「１００％」とした場合の「３２％」として設定される。同様に、スピーカ装置１０−２の増幅部１０３に設定される増幅率は、「４０％」×「２０％」＝「８％」、スピーカ装置１０−３の増幅部１０３に設定される増幅率は、「４０％」×「６０％」＝「２４％」となる。
【００９２】
このときに、利用者が通信装置２０の操作部２１３を操作して、ボリューム値Ｖｃの変更を指示すると、制御部２１１は、記憶部２１２に記憶されている設定情報が示すボリューム値Ｖｃを、指示に応じたボリューム値になるように更新する。また、制御部２１１は、更新したボリューム値Ｖｃを示す設定情報を含む制御信号Ｓｃを通信モジュール２５に出力して、無線通信部２５２から送信させる。このとき、利用者は、操作部２１３の操作に応じて表示部２１４のボリューム値の表示が変化していくことを確認しながら、操作部２１３を操作することができるから、指示すべきボリューム値Ｖｃを正確に指定することができる。
【００９３】
スピーカ装置１０−１、１０−２、１０−３は、制御信号Ｓｃを受信すると、この時点においては、それぞれ全体設定モードとして設定されているから、制御部１０１は、スピーカ装置１０−１、１０−２、１０−３の記憶部１１１に記憶されている全体設定情報が示す全体ボリューム値Ｖａを、制御信号Ｓｆに含まれる設定情報が示すボリューム値Ｖｃになるように更新する。また、スピーカ装置１０−１、１０−２、１０−３のそれぞれの制御部１０１は、更新した全体ボリューム値Ｖａと、個別ボリューム値Ｖｐに応じた増幅率を増幅部１０３に設定する。これにより、スピーカ装置１０−１、１０−２、１０−３の放音部１２０から放音されるオーディオ信号Ｓｉｎの音量がそれぞれ変化する。ここでは、ボリューム値Ｖｃを「４０％」から「６０％」に変更する指示をしたものとし、制御信号Ｓｃの送受信により、ボリューム値Ｖａも同様に変化する（図１１：ｔ０→ｔ１参照）。このとき、スピーカ装置１０−１の増幅部１０３に設定される増幅率は、「３２％」から、「４８％」（＝「Ｖａ＝６０％」×「Ｖｐ１＝８０％」）に変化する。スピーカ装置１０−２、１０−３についても、同様に、設定される増幅率が変化する。
【００９４】
次に、利用者は、通信装置２０の操作部２５５を操作すると、通信制御部２５３は、設定対象として特定スピーカ装置を選択するために、接続リストの最初にあるスピーカ装置１０−１を特定し、このスピーカ装置１０−１を特定スピーカ装置として示す選択情報が含まれる要求信号Ｓｒを無線通信部２５２から送信させる。これによりスピーカ装置１０−１の制御部１０１は、この要求信号Ｓｒを受信して取得すると、全体設定モードから個別設定モードに切り替える。一方、スピーカ装置１０−２、１０−３の制御部１０１は、この要求信号Ｓｒを受信して取得すると、全体設定モードから設定停止モードに切り換える。
【００９５】
スピーカ装置１０−１の制御部１０１は、個別設定モードに切り替わったことにより、発光部１８０に電力供給して発光を開始させる。また、スピーカ装置１０−１の制御部１０１は、記憶部１１１の個別設定情報を読み出して、読み出した個別設定情報を設定情報として含むフィードバック信号Ｓｆを無線通信部１５１に出力し、通信装置２０に送信させる。
【００９６】
通信装置２０がフィードバック信号Ｓｒを受信すると、通信装置２０の制御部２１１は、通信装置２０の記憶部２１２に記憶されている設定情報が示すボリューム値Ｖｃを、フィードバック信号Ｓｆに含まれる設定情報が示すボ個別リューム値Ｖｐ１（「８０％」）になるように更新され、個別ボリューム値Ｖｐ１がボリューム値Ｖｃにコピーされる。これにより、制御部２１１の制御によって、更新された設定情報が示すボリューム値Ｖｃに応じた表示が表示部２１４にされ、利用者は、スピーカ装置１０−１の記憶部１１１に記憶されている個別設定情報が示す個別ボリューム値Ｖｐ１、すなわちスピーカ装置１０−１における現在の個別ボリューム値Ｖｐ１の設定を認識することができる（図１１：ｔ２参照）。
【００９７】
このときに、利用者が通信装置２０の操作部２１３を操作して、ボリューム値Ｖｃの変更を指示すると、制御部２１１は、記憶部２１２に記憶されている設定情報が示すボリューム値Ｖｃを、指示に応じたボリューム値になるように更新する。ここでは、ボリューム値Ｖｃを「８０％」から「４０％」に変更する指示をしたものとする（図１１：ｔ２→ｔ３参照）。
【００９８】
また、制御部２１１は、更新したボリューム値Ｖｃを示す設定情報を含む制御信号Ｓｃを通信モジュール２５に出力するが、この時点においては、無線通信部２５２から送信は行わないように通信制御部２５３によって制御される。
【００９９】
図８に進んで説明を続ける。次に、利用者は、通信装置２０の操作部２５５を操作すると、まず、通信装置２０の通信制御部２５３は、記憶部２１２に記憶されている設定情報を含む制御信号Ｓｃを無線通信部２５２から送信させる。この送信は、通信制御部２５３が、操作部２５５が操作されたことを制御部２１１に通知すると、制御部２１１が、記憶部２１２に記憶されている設定情報を読み出して、読み出した設定情報を含む制御信号Ｓｃを通信モジュール２５に出力するようにして行ってもよいし、上述のように利用者の操作部２１３の操作に応じて通信モジュール２５に出力された制御信号Ｓｃを通信制御部２５３において一時記憶することにより、最新の設定情報を記憶しておき、通信制御部２５３は、操作部２５５の操作による操作信号を取得すると、無線通信部２５２から記憶している最新の設定情報を含む制御信号Ｓｃを送信させるようにしてもよい。
【０１００】
これにより、スピーカ装置１０−１の制御部１０１は、制御信号Ｓｃを受信すると、この時点においては、個別設定モードであるから、制御信号Ｓｃに含まれる設定情報が示すボリューム値Ｖｃ（「４０％」）になるように、スピーカ装置１０−１の記憶部１１１に記憶されている個別設定情報が示す個別ボリューム値Ｖｐ１を更新し（図１１：ｔ４参照）、ボリューム値Ｖｃが個別ボリューム値Ｖｐ１にコピーされる。これによりスピーカ装置１０−１の制御部１０１は、全体ボリューム値Ｖａ（「６０％」）と個別ボリューム値Ｖｐ１（「４０％」）との積（「２４％」）に応じた増幅率を増幅部１０３に設定する。したがって、放音されるオーディオ信号Ｓｉｎの音量レベルは、全体ボリューム値Ｖａと個別ボリューム値Ｖｐ１とに応じたものとなる。ここで、他のスピーカ装置１０−２、１０−３については、設定停止モードに設定されているから、制御信号Ｓｃを受信しても全体設定情報、個別設定情報の更新は行われない。そのため、図８においてスピーカ装置１０−２、１０−３への制御信号Ｓｃの通信の記載は省略している（以下、同様に省略）。
【０１０１】
また、通信制御部２５３は、接続リストのスピーカ装置１０−１の次にあるスピーカ装置１０−２を特定し、このスピーカ装置１０−２を特定スピーカ装置として示す選択情報が含まれる要求信号Ｓｒを無線通信部２５２から送信させる。これによりスピーカ装置１０−２の制御部１０１は、この要求信号Ｓｒを受信して取得すると、設定停止モードから個別設定モードに切り替える。一方、スピーカ装置１０−１の制御部１０１は、この要求信号Ｓｒを受信して取得すると、個別設定モードから設定停止モードに切り替え、発光部１８０への電力供給を停止し、発光部１８０は発光しなくなる。スピーカ装置１０−３については、設定停止モードのままである。
【０１０２】
スピーカ装置１０−２において、その後の処理については上述のスピーカ装置１０−１と同様であるので、簡単に説明を行う。まず、スピーカ装置１０−２の発光部１８０が発光し、スピーカ装置１０−２の記憶部１１１に記憶されている個別設定情報が読み出され、設定情報として示すフィードバック信号Ｓｆが通信装置２０に送信される。そして、通信装置２０の記憶部２１２に記憶されている設定情報が示すボリューム値が個別ボリューム値Ｖｐ２（「２０％」）になるように更新され（図１１：ｔ５参照）、個別ボリューム値Ｖｐ２がボリューム値Ｖｃにコピーされる。
【０１０３】
そして、通信部２０の操作部２１３を操作して、ボリューム値Ｖｃを「２０％」から「８０％」に変更すると、記憶部２１２に記憶されている設定情報が更新される（図１１：ｔ５→ｔ６参照）。
【０１０４】
図９に進んで説明を続ける。次に、利用者は、通信装置２０の操作部２５５を操作すると、まず、通信装置２０の通信制御部２５３は、記憶部２１２に記憶されている設定情報を含む制御信号Ｓｃを無線通信部２５２から送信させる。これにより、スピーカ装置１０−２の制御部１０１は、制御信号Ｓｃを受信すると、この時点においては、個別設定モードであるから、制御信号Ｓｃに含まれる設定情報が示すボリューム値Ｖｃ（「８０％」）になるように、スピーカ装置１０−２の記憶部１１１に記憶されている個別設定情報が示す個別ボリューム値Ｖｐ２を更新し（図１１：ｔ７参照）、ボリューム値Ｖｃが個別ボリューム値Ｖｐ２にコピーされる。これによりスピーカ装置１０−２の制御部１０１は、全体ボリューム値Ｖａ（「６０％」）と個別ボリューム値Ｖｐ２（「８０％」）との積（「４８％」）に応じた増幅率を増幅部１０３に設定する。したがって、放音されるオーディオ信号Ｓｉｎの音量レベルは、全体ボリューム値Ｖａと個別ボリューム値Ｖｐ２とに応じたものとなる。ここで、他のスピーカ装置１０−１、１０−３については、設定停止モードに設定されているから、制御信号Ｓｃを受信しても全体設定情報、個別設定情報の更新は行われない。
【０１０５】
また、通信制御部２５３は、接続リストのスピーカ装置１０−２の次にあるスピーカ装置１０−３を特定し、このスピーカ装置１０−３を特定スピーカ装置として示す選択情報が含まれる要求信号Ｓｒを無線通信部２５２から送信させる。これによりスピーカ装置１０−３の制御部１０１は、この要求信号Ｓｒを受信して取得すると、設定停止モードから個別設定モードに切り替える。一方、スピーカ装置１０−２の制御部１０１は、この要求信号Ｓｒを受信して取得すると、個別設定モードから設定停止モードに切り替え、発光部１８０への電力供給を停止し、発光部１８０は発光しなくなる。スピーカ装置１０−１については、設定停止モードのままである。
【０１０６】
スピーカ装置１０−３において、その後の処理については上述のスピーカ装置１０−２と同様であるので、簡単に説明を行う。まず、スピーカ装置１０−３の発光部１８０が発光し、スピーカ装置１０−３の記憶部１１１に記憶されている個別設定情報が読み出され、設定情報として示すフィードバック信号Ｓｆが通信装置２０に送信される。そして、通信装置２０の記憶部２１２に記憶されている設定情報が示すボリューム値が個別ボリューム値Ｖｐ３（「４０％」）になるように更新され（図１１：ｔ８参照）、個別ボリューム値Ｖｐ３がボリューム値Ｖｃにコピーされる。
【０１０７】
そして、通信部２０の操作部２１３を操作して、ボリューム値Ｖｃを「４０％」から「２０％」に変更すると、記憶部２１２に記憶されている設定情報が更新される（図１１：ｔ８→ｔ９参照）。
【０１０８】
図１０に進んで説明を続ける。次に、利用者は、通信装置２０の操作部２５５を操作すると、まず、通信装置２０の通信制御部２５３は、記憶部２１２に記憶されている設定情報を含む制御信号Ｓｃを無線通信部２５２から送信させる。これにより、スピーカ装置１０−３の制御部１０１は、制御信号Ｓｃを受信すると、この時点においては、個別設定モードであるから、制御信号Ｓｃに含まれる設定情報が示すボリューム値Ｖｃ（「２０％」）になるように、スピーカ装置１０−３の記憶部１１１に記憶されている個別設定情報が示す個別ボリューム値Ｖｐ３を更新し（図１１：ｔ１０参照）、ボリューム値Ｖｃが個別ボリューム値Ｖｐ３にコピーされる。これにより、スピーカ装置１０−３の制御部１０１は、全体ボリューム値Ｖａ（「６０％」）と個別ボリューム値Ｖｐ３（「２０％」）との積（「１２％」）に応じた増幅率を増幅部１０３に設定する。したがって、放音されるオーディオ信号Ｓｉｎの音量レベルは、全体ボリューム値Ｖａと個別ボリューム値Ｖｐ３とに応じたものとなる。ここで、他のスピーカ装置１０−１、１０−２については、設定停止モードに設定されているから、制御信号Ｓｃを受信しても全体設定情報、個別設定情報の更新は行われない。
【０１０９】
また、通信制御部２５３は、接続リストのスピーカ装置１０−３の次にあるスピーカ装置は無いから、設定対象としてスピーカ装置全体を選択するために、スピーカ装置全体を示す選択情報および送信要求情報が含まれる要求信号Ｓｒを無線通信部２５２から送信させる。これにより、全てのスピーカ装置１０−１、１０−２、１０−３の制御部１０１は、この要求信号Ｓｒを受信して取得すると、全体設定モードに切り替え、スピーカ装置１０−３においては、発光部１８０への電力供給を停止し、発光部１８０は発光しなくなる。また、全てのスピーカ装置１０−１、１０−２、１０−３の制御部１０１は、記憶部１１１に記憶されている全体設定情報を読み出して、読み出した全体設定情報を設定情報として含むフィードバック信号Ｓｆを無線通信部１５１に出力し、通信装置２０に送信させる。
【０１１０】
ここで、フィードバック信号Ｓｆに含まれる設定情報が示す全体ボリューム値Ｖａは、どのスピーカ装置１０から送信されたものであっても、同じ「６０％」であるから、通信装置２０は、いずれかのフィードバック信号Ｓｆを受信すればよい。したがって、送信要求情報により、フィードバック信号Ｓｆを送信させるスピーカ装置１０を指定するようにしてもよい。この例においては、スピーカ装置１０−１からのフィードバック信号Ｓｆを通信装置２０が受信したものとして図示している。そのため、図１０においてスピーカ装置１０−２、１０−３におけるフィードバック信号Ｓｆの通信の記載は省略している。
【０１１１】
そして、通信装置２０の制御部２１１は、受信したフィードバック信号Ｓｆに含まれる設定情報が示す全体ボリューム値Ｖａになるように、記憶部２１２に記憶されている設定情報が示すボリューム値Ｖｃを更新し（図１１：ｔ１１参照）、全体ボリューム値Ｖａがボリューム値Ｖｃにコピーされる。その後は、利用者が各操作を続ければ、図７のｔ０から同じように繰り返され、全体ボリューム値Ｖａ、個別ボリューム値Ｖｐ１、Ｖｐ２、Ｖｐ３を設定していくことができる。なお、この動作の例においては、スピーカ装置１０における操作部１１０の操作により、記憶部１１１に記憶されている個別設定情報の更新が随時行なわれてもよいが、制御信号Ｓｃの取得によって新たに個別設定情報が制御信号Ｓｃに含まれる設定情報に応じて更新される。
【０１１２】
このように、本発明の実施形態に係るオーディオシステム１において、通信装置２０を携帯する利用者がスピーカ装置１０の通信範囲内に移動することにより、スピーカ装置１０と通信装置２０とが無線通信により接続され、スピーカ装置１０の放音部１２０から、通信装置２０の携帯オーディオ装置２１において再生しているオーディオ信号Ｓｉｎが放音される。複数のスピーカ装置１０−１、１０−２、１０−３と通信装置２０とが接続されているときには、利用者は、通信装置２０の操作部２１３、２５５の操作により、容易に遠隔操作で複数のスピーカ装置全体の全体ボリューム値Ｖａを制御できるとともに、各スピーカ装置１０−１、１０−２、１０−３の個別ボリューム値Ｖｐ１、Ｖｐ２、Ｖｐ３をそれぞれ制御することができる
【０１１３】
以上、本発明の実施形態について説明したが、本発明は以下のように、さまざまな態様で実施可能である。
【０１１４】
＜変形例１＞
上述した実施形態においては、スピーカ装置１０の記憶部１１１に記憶される全体設定情報が示す全体ボリューム値Ｖａ、個別設定情報が示す個別ボリューム値Ｖｐと、通信装置２０の記憶部２１２に記憶される設定情報が示すボリューム値とは同じであり、双方とも「０」から「２５５」の値をとるものであったが、異なるものであってもよい。例えば、通信装置２０においては、「０」から「２５５」の２５６ステップでボリューム値が指定され、スピーカ装置１０においては、「０」から「５１」の５２ステップでボリューム値が指定されるものとしてもよい。
【０１１５】
この場合には、スピーカ装置１０の制御部１０１は、図１３に示すような受信パラメータと変換パラメータとの関係を示す変換テーブルを記憶しておく。そして、制御部１０１は、通信装置２０から受信した制御信号Ｓｃを取得すると、変換テーブルを参照して、制御信号Ｓｃに含まれる設定情報が示すボリューム値を受信パラメータとして扱い、対応する変換パラメータが示すボリューム値になるように、記憶部１１１に記憶されている全体設定情報が示す全体ボリューム値Ｖａ、または個別設定情報が示す個別ボリューム値Ｖｐを更新する。
【０１１６】
一方、操作部１１０の操作により制御部１０１が操作信号を取得すると、実施形態と同様に、操作信号に応じて記憶部１１１に記憶されている個別設定情報が示す個別ボリューム値を更新する。そして、制御部１０１は、記憶部１１１に記憶された個別設定情報が示す個別ボリューム値Ｖｐを変換パラメータとして扱い、対応する受信パラメータが示すボリューム値をフィードバック信号Ｓｆの設定値が示すボリューム値として認識する。
【０１１７】
ここで、変換パラメータが「２」である場合には、対応する受信パラメータが示すボリューム値は、「６」から「１０」となる場合などのように、対応する受信パラメータが示すボリューム値が複数である場合には、その中のいずれかの値が選択されるように予め設定され、この例においては、「６」から「１０」の中央値「８」が選択されるようになっている。なお、この選択は、更新の態様によって変更されるように設定されていてもよい。すなわち、制御部１０１が操作信号に応じて記憶部１１１に記憶されている個別設定情報が示すボリューム値Ｖｐを増加させるように更新した場合には、例えば最低値（上述の例においては「６」）が選択され、個別ボリューム値Ｖｐを減少させるように更新した場合には、例えば最大値（上述の例においては「１０」）が選択されるようにしてもよい。
【０１１８】
このようにすれば、通信装置２０の操作部２１３におけるボリューム値の変更を指示できる範囲、ステップと、スピーカ装置１０の操作部１１０におけるボリューム値の変更を指示できる範囲、ステップとが異なる場合においても、利用者は、操作によるボリューム値の変更指示を違和感無く行うことができる。
【０１１９】
＜変形例２＞
上述した実施形態においては、通信装置２０からスピーカ装置１０へオーディオ信号Ｓｉｎが送信され、スピーカ装置１０の無線通信部１５１によってオーディオ信号Ｓｉｎを受信することによって取得していたが、オーディオ信号Ｓｉｎの取得は、別の方法により行なってもよい。この場合には、図１４に示すように、オーディオ信号を取得して増幅部１０３に入力する入力部１０５を有するオーディオ信号処理装置１００Ａを具備するスピーカ装置１０Ａとすればよい。そして、この入力部１０５は、オーディオ信号Ｓｉｎが入力される入力端子を有するようにし、入力端子から入力されたオーディオ信号Ｓｉｎを取得してもよいし、オーディオ信号Ｓｉｎを生成する楽音発生手段（不図示）を有するようにした場合には、この楽音発生手段からオーディオ信号Ｓｉｎを取得するようにすればよい。
【０１２０】
このようにすると、通信装置２０の携帯オーディオ装置２１は、オーディオ信号Ｓｉｎを出力しなくてもよく、通信装置２０を携帯する利用者がスピーカ装置１０の通信範囲内に移動してきた場合には、スピーカ装置１０の入力部１０５によって取得されたオーディオ信号Ｓｉｎが放音部１２０から放音されるようになる。この場合には、利用者は、通信装置２０について、放音される音量を変更することができるリモコンのように使用することができる。
【０１２１】
＜変形例３＞
上述した実施形態においては、スピーカ装置１０は、オーディオ信号処理装置１００を有し、オーディオ信号処理装置１００の増幅部１０３において、全体設定情報が示す全体ボリューム値Ｖａおよび個別設定情報が示す個別ボリューム値Ｖｐに応じた増幅率でオーディオ信号Ｓｉｎを増幅していたが、増幅部１０３に限られず、電力供給を受けると、オーディオ信号Ｓｉｎに対して、全体設定情報が示す全体パラメータおよび個別設定情報が示す個別パラメータに応じた信号処理（例えば、イコライジング処理、残響処理など）を施す信号処理部であってもよい。例えば、信号処理としてイコライジング処理を行う場合には、全体設定情報が示す全体パラメータおよび個別設定情報が示す個別パラメータは、周波数特性を示すものとすればよいし、残響処理を行う場合には、全体設定情報が示す全体パラメータおよび個別設定情報が示す個別パラメータは、残響時間などであればよい。
【０１２２】
＜変形例４＞
上述した実施形態においては、図８、図９、図１０に示すように、利用者が通信装置２０の操作部２５５を操作すると、スピーカ装置１０に係る個別設定情報を更新するための制御信号Ｓｃが通信装置２０から送信され、また、スピーカ装置１０からは、個別設定情報に係るフィードバック信号Ｓｆが、個別設定モードに設定されたときに送信されていたが、送信タイミングはこの態様に限られない。例えば、図１５に示すように、通信装置２０の操作部２１３が操作されると、制御信号Ｓｃが送信され、スピーカ装置１０の操作部１１０が操作されるとフィードバック信号Ｓｆが送信されるようにしてもよい。
【０１２３】
スピーカ装置１０からのフィードバック信号Ｓｆの送信は、通信装置２０は、所定の間隔でスピーカ装置１０に係る設定情報をポーリングする問い合わせを行うことで、実現されるようにしてもよい。具体的には、以下のように行なわれる。まず、通信装置２０は、通信制御部２５３の制御によって、無線通信部２５２から、操作部１１０の操作によって設定情報が前回の問い合わせから更新されているかを示す問合信号をスピーカ装置１０に送信する。スピーカ装置１０において問合信号を受信すると、スピーカ装置１０の制御部１０１は、前回の問合信号の受信から今回の問合信号までの間において、操作部１１０の操作により記憶部１１１に記憶されている設定情報が更新されたかどうかを判定し、更新されている場合には、その旨を示す返答信号を無線通信部１５１に出力して通信装置２０に対して送信させる。
【０１２４】
通信装置２０において返答信号を受信すると、通信制御部２５３の制御によって、無線通信部２５２から、スピーカ装置１０に係る設定情報の送信の要求を示す送信要求信号をスピーカ装置１０に送信する。そして、スピーカ装置１０において送信要求信号を受信すると、スピーカ装置１０の制御部１０１は、記憶部１１１に記憶されている設定情報を読み出して、その設定情報が含まれるフィードバック信号Ｓｆを無線通信部１５１に出力して通信装置２０に対して送信させる。このように、スピーカ装置１０の操作部１１０が操作されていると、通信装置２０は、所定の間隔で行うポーリングする問い合わせに応じて、フィードバック信号Ｓｆを受信することになる。なお、これは一例を示すものであって、問合信号に応答して、操作部１１０の操作の有無にかかわらず、フィードバック信号Ｓｆが出力されるようにしてもよい。
【０１２５】
図１５は、図１０に示すｔ１からｔ３までの間の処理を、この例により処理した場合の説明図である。ｔ２までは実施形態の処理と同じであるため説明を省略し、ｔ２以降の処理について、以下、図１５、図１６を用いて説明する。図１６は、図１１の一部に対応し、図１５に示すこの例の処理に応じて変化する設定情報が示すボリューム値Ｖｃ、全体設定情報が示すボリューム値Ｖａ、スピーカ装置１０−１に係る個別設定情報が示す個別ボリューム値Ｖｐ１を示す説明図である。
【０１２６】
利用者は、通信装置２０の操作部２１３を操作することによりボリューム値Ｖｃの変更が指示されると、制御部２１１は、指示に応じて記憶部２１２に記憶されている設定情報が示すボリューム値Ｖｃを更新し、その設定情報が含まれる制御信号Ｓｃを送信する。ここで、スピーカ装置１０−１は、個別設定モードであり、スピーカ装置１０−２、１０−３は、設定停止モードである。個別設定モードであるスピーカ装置１０−１の制御部１０１は、この制御信号Ｓｃを受信して取得すると、記憶部１１１に記憶されている個別設定情報が示す個別ボリューム値Ｖｐ１を、制御信号Ｓｃに含まれる設定情報が示すボリューム値Ｖｃになるように更新し、増幅部１０３に対して、設定情報に応じた増幅率を設定する。
【０１２７】
一方、個別設定モードに設定されているスピーカ装置１０−１の操作部１１０が操作されることにより個別ボリューム値Ｖｐ１の変更が指示されると、その指示に応じて、スピーカ装置１０−１の制御部１０１は、記憶部１１１に記憶されている個別設定情報が示す個別ボリューム値Ｖｐ１を更新し、増幅部１０３に対して、全体設定情報及び個別設定情報に応じた増幅率を設定する。また、スピーカ装置１０は、この個別設定情報を設定情報として含むフィードバック信号Ｓｆを、通信装置２０からのポーリングする問い合わせに応じて、通信装置２０に送信する。これにより通信装置２０の制御部２１１は、フィードバック信号Ｓｆを受信して取得すると、記憶部２１２に記憶されている設定情報が示すボリューム値Ｖｃを、フィードバック信号Ｓｆに含まれる設定情報が示す個別ボリューム値Ｖｐ１になるように更新する。したがって、通信装置２０の操作部２１３、スピーカ装置１０−１の操作部１１０のいずれを操作しても、通信装置２０に係る設定情報が示すボリューム値Ｖｃと、スピーカ装置１０−１に係る個別設定情報が示す個別ボリューム値Ｖｐ１とは、同じ値になるようになっている（図１６：ｔ２→ｔ３’参照）。ここで、設定停止モード（全体設定モードであるときも同様）に設定されているスピーカ装置１０−２、１０−３の操作部１１０が操作されると、それぞれスピーカ装置１０−２、１０−３の記憶部１１１に記憶されている個別設定情報が更新され、増幅率の設定が変更されるが、この個別設定情報の更新に係るフィードバック信号Ｓｆは、次に個別設定モードに設定されるまでは送信しない。
【０１２８】
このように、携帯オーディオ装置２１において再生されたオーディオ信号Ｓｉｎが、全体設定情報が示す全体ボリューム値Ｖａおよび個別設定情報が示す個別ボリューム値Ｖｐに応じた音量でスピーカ装置１０の放音部１２０から放音される。そして、これらのボリューム値の変更は、通信装置２０の操作部２１３の操作、スピーカ装置１０の操作部１１０の操作により行うことができ、どちらの操作においても、通信装置２０の表示部２１４に、現在の全体ボリューム値Ｖａまたは個別ボリューム値Ｖｐであって、通信装置２０の操作部２１３の操作により変更可能な全体ボリューム値Ｖａまたは個別ボリューム値Ｖｐに応じた表示をさせることができる。すなわち、スピーカ装置１０において増幅部１０３に設定すべき増幅率を指定する全体ボリューム値Ｖａおよび個別ボリューム値Ｖｐのうち、通信装置２０の操作部２１３の操作に応じて現在変更可能なボリューム値と、通信装置２０において表示部２１３の表示内容を指定するボリューム値Ｖｃとが一致するように同期を取ることができる。
【０１２９】
なお、制御信号Ｓｃ、フィードバック信号Ｓｆが送受信されるタイミングは、個別ボリューム値Ｖｐの変更指示がスピーカ装置１０において行われ、またはボリューム値Ｖｃの変更指示が通信装置２０において行われることにより、スピーカ装置１０において増幅部１０３に設定すべき増幅率を指定する全体ボリューム値Ｖａおよび個別ボリューム値Ｖｐのうち、通信装置２０の操作部２１３の操作に応じて現在変更可能なボリューム値と、通信装置２０において表示部２１４の表示内容を指定するボリューム値Ｖｃとの対応関係がずれたタイミングであったが、このタイミングに限られない。例えば、スピーカ装置１０と通信装置２０とが無線通信により接続されている間は、予め設定された間隔で制御信号Ｓｃ、フィードバック信号Ｓｆが送受信されてもよい。
【０１３０】
＜変形例５＞
上述した実施形態においては、最初にスピーカ装置１０−１と通信装置２０との無線通信による接続が開始されると、まず、スピーカ装置１０−１の記憶部１１１に記憶されている全体設定情報が示す全体ボリューム値Ｖａを基準とし、この全体ボリューム値Ｖａになるように、通信装置２０の記憶部２１２に記憶されている設定情報が示すボリューム値Ｖｃを更新していたが、通信装置２０の記憶部２１２に記憶されている設定情報が示すボリューム値Ｖｃ（無線通信による接続時のボリューム値Ｖｃ）を基準として、スピーカ装置１０−１の記憶部１１１に記憶されている全体設定情報が示すボリューム値Ｖａを更新するようにしてもよい。すなわち、スピーカ装置１０−１に係る全体ボリューム値Ｖａと、全体ボリューム値Ｖａを制御するときにおける通信装置２０において表示部２１４の表示内容を指定するボリューム値Ｖｃとが一致するなどの対応関係で同期を取ればよい。
【０１３１】
＜変形例６＞
上述した実施形態において、スピーカ装置１０と通信装置２０との無線通信による接続が切断されると、スピーカ装置１０の記憶部１１１に記憶されている全体設定情報が示す全体ボリューム値Ｖａ、個別設定情報が示す個別ボリューム値Ｖｐが、それぞれ予め設定されたボリューム値に更新されるようにしてもよい。また、通信装置２０の記憶部２１２に記憶されている設定情報が示すボリューム値Ｖｃについても同様に、予め設定されたボリューム値に更新されるようにしてもよい。
【０１３２】
ここで、スピーカ装置１０と通信装置２０との無線通信による接続が開始された後であって、通信装置２０の記憶部２１２に記憶されている設定情報が示すボリューム値Ｖｃが最初に更新される前のボリューム値を、記憶部２１２に初期設定情報として記憶しておき、スピーカ装置１０と通信装置２０との無線通信による接続が切断されると、記憶部２１２に記憶されている設定情報が示すボリューム値Ｖｃを、初期設定情報が示すボリューム値に更新されるようにしてもよい。このようにすれば、スピーカ装置１０と通信装置２０との無線通信による接続が切断された後に、接続が開始される前のボリューム値に容易に戻すことができる。
【０１３３】
＜変形例７＞
上述した実施形態においては、設定対象としてスピーカ装置全体が選択されている状態に変わると、通信装置２０の制御部２１１は、フィードバック信号Ｓｆに含まれる設定情報を取得して、取得した設定情報が示す全体ボリューム値Ｖａに応じて、記憶部２１２に記憶されている設定情報が示すボリューム値Ｖｃを更新していたが、設定情報の取得は、フィードバック信号Ｓｆの受信によらなくてもよい。例えば、全体ボリューム値Ｖａを示す全体設定情報を通信装置２０の記憶部２１２に記憶、または通信制御部２５３に記憶させておけば、送信要求情報が含まれる要求信号Ｓｒの送受信を用いるかわりに、通信装置２０に記憶されている全体設定情報を取得して、記憶部２１２に記憶されている設定情報が示すボリューム値Ｖｃを更新するようにすればよい。
【０１３４】
このように記憶される全体ボリューム値Ｖａは、設定対象としてスピーカ装置全体が選択されている状態から、特定スピーカ装置が選択されている状態、または、全てのスピーカ装置１０と通信装置２０との無線通信による接続が切断された状態に変わるときに、記憶部２１２に記憶されている設定情報が示すボリューム値Ｖｃを読み出して、そのボリューム値Ｖｃを用いればよい。
【０１３５】
＜変形例８＞
上述した実施形態においては、設定対象としてスピーカ装置全体または特定スピーカ装置の選択、および特定スピーカ装置の特定には、ともに操作部２５５の一の操作子の操作によるものであったが、複数の操作子を設け、設定対象としてスピーカ装置全体または特定スピーカ装置の選択と、特定スピーカ装置の特定とは別の操作子により操作できるようにしてもよい。
【０１３６】
このようにすれば、接続リストにある全てのスピーカ装置１０が特定スピーカ装置として特定された後も、再び接続リストにあるスピーカ装置１０から特定することができる。すなわち、設定対象としてスピーカ装置全体が選択されないようにして、特定スピーカ装置の選択状態を維持することもできる。また、特定スピーカ装置として接続リストにある全てのスピーカ装置１０が特定されなくても、設定対象としてスピーカ装置全体を選択することもできる。
【０１３７】
＜変形例９＞
上述した実施形態においては、スピーカ装置１０は、自装置が特定され、個別設定モードとなっていることを報知するために、発光部１８０において発光するようにしていたが、報知の態様は、発光に限られず、音、振動、動きなど、様々な態様で報知してもよい。例えば、振動により報知する場合には、発光部１８０に代えて、電力の供給を受けると、スピーカ装置１０を振動させる振動子を有する振動部を設ければよい。
【０１３８】
＜変形例１０＞
上述した実施形態において、スピーカ装置１０の無線通信部１５１に通信装置２０からの通信電波の強度を検出する検出部を設け、制御部１０１は、この検出結果を取得し、検出した通信電波の強度に応じて、増幅部１０３に設定された増幅率を変化させてもよい。例えば、検出した通信電波の強度が小さくなるほど、スピーカ装置１０と通信装置２０との距離が離れていることになるから、増幅部１０３に設定された増幅率を大きくするように変化させ、距離が離れても通信装置２０を携帯する利用者が聴取する音量が小さくならないようにしてもよい。このように、制御部１０１は、増幅部１０３に対して、記憶部１１１に記憶されている全体設定情報が示す全体ボリューム値Ｖａおよび個別設定情報が示す個別ボリューム値Ｖｐと、検出部によって検出された通信電波の強度とに応じて増幅率を設定するようにしてもよい。
【０１３９】
なお、通信制御部１５２は、検出部によって検出された通信電波の強度に応じた条件を接続条件、切断条件として接続をするか否かを判定してもよい。例えば、無線通信を確立した通信装置２０からの通信電波の強度が、予め設定されたしきい値以上になることを接続条件とすればよく、予め設定されたしきい値未満になることを切断条件とすればよい。
【０１４０】
このようにすれば、無線通信電波の強度を変更しなくても、図示しない操作手段の操作などに応じて、通信制御部１５２は、設定されたしきい値を増減させることで、スピーカ装置１０と通信装置２０とが無線通信により接続される範囲であって、スピーカ装置１０からの範囲を調整することができる。また、この制御信号Ｓｃの送受信がスピーカ装置１０と通信装置２０とが無線通信による接続が開始する前であっても可能な状態としておけば、制御信号Ｓｃに応じてしきい値が増減されるようにしてもよい。例えば、制御信号Ｓｃに含まれる設定情報が示すボリューム値Ｖｃが大きくなるほどしきい値を減少させて、スピーカ装置１０と通信装置２０とが無線通信により接続可能な距離を長くするようにしてもよい。
【０１４１】
＜変形例１１＞
上述した実施形態においては、スピーカ装置１０の操作部１１０は操作に応じた操作信号を制御部１０１に出力することによって、個別ボリューム値Ｖｐの変更を指示していたが、外部装置と接続する接続端子を設け、その接続端子に接続された外部装置から個別ボリューム値Ｖｐの変更を指示する信号を制御部１０１に出力することによって、ボリューム値Ｖｐの変更を指示するようにしてもよい。また、変形例２に示すようなスピーカ装置１０の構成である場合には、入力部１０５が取得するオーディオ信号Ｓｉｎを出力する外部装置と、このボリューム値の変更を指示する信号を出力する外部装置とは同じ装置であってもよい。
【０１４２】
＜変形例１２＞
上述した実施形態においては、スピーカ装置１０と通信装置２０との無線通信による接続を開始するための接続条件は、スピーカ装置１０から送信された接続要求信号に応答して、通信装置２０から送信される接続許可を示す接続応答信号をスピーカ装置１０において受信することであったが、他の条件であってもよい。例えば、接続要求信号、接続応答信号の送受信を行うことなく、スピーカ装置１０と通信装置２０との間で無線通信が確立されることを接続条件としてもよい。
【０１４３】
また、別の例として、接続要求信号、接続応答信号の送受信の関係を逆であるものとし、接続要求信号を通信装置２０が送信しスピーカ装置１０において受信し、スピーカ装置１０は、それに応答して接続応答信号を送信して通信装置２０に受信させるようにしてもよい。そして、通信装置２０が、接続許可を示す接続応答信号を受信することを接続条件としてもよい。この場合、接続条件を満たすかどうかにより接続するか否かを判定するのは通信装置２０の通信制御部２５３であってもよい。
【０１４４】
一方、切断条件についても、無線通信が確立できなくなることだけでなく、他の条件としてもよい。例えば、無線通信により接続されている通信装置２０からのオーディオ信号Ｓｉｎの受信が、予め設定された時間、例えば１０分間無いことを切断条件としてもよい。また、通信装置２０から送信される制御信号Ｓｃに、予め設定された情報（例えば、携帯オーディオ装置２１のバッテリ残量が所定量以下である、スリープモードになったなど、携帯オーディオ装置２１の状態を示す情報）が含まれることを制御部１０１が検出したことを切断条件としてもよい。
【０１４５】
＜変形例１３＞
上述した実施形態においては、スピーカ装置１０と通信装置２０とが、無線通信により接続されると、スピーカ装置１０の制御部１０１は、電力供給部１０２から増幅部１０３に電力の供給を開始していたが、スピーカ装置１０と通信装置２０とが、無線通信により接続された後に、さらに通信装置２０から予め設定された内容の情報を含む制御信号Ｓｃを受信した場合に、制御部１０１は、電力供給部１０２から増幅部１０３に電力の供給を開始するようにしてもよい。
【０１４６】
ここで、予め設定された内容の情報は、例えば、実施形態における設定情報のようにボリューム値を示すものであってもよいし、携帯オーディオ装置２１においてオーディオ信号を再生する操作により生成される再生操作を示す情報であってもよい。このようにすれば、スピーカ装置１０と通信装置２０とが接続状態になっても、利用者が携帯オーディオ装置２１の操作部２１３に対して、予め設定された操作をするまでは、スピーカ装置１０の放音部１２０からの放音をさせないようにすることもできるから、通信装置２０を携帯する利用者がスピーカ装置１０の近くを通過するだけである場合に、不要に放音されないようにすることもできる。
【０１４７】
＜変形例１４＞
上述した実施形態においては、通信装置２０の通信制御部２５３における識別情報の評価による判定は、予め設定されたグループＩＤと、スピーカ装置１０から受信した接続要求信号に含まれる識別情報が示すグループＩＤとを比較することにより行っていたが、別の方法であってもよい。例えば、以下に示すようなものとすればよい。
【０１４８】
例えば、通信制御部２５３は、予め接続可能な識別情報を示すリストを記憶しておき、このリストと接続要求信号に含まれる識別情報とを比較し、一致する識別情報がある場合には、接続すると判定、一致する識別情報が無い場合には、接続しないと判定すればよい。
【０１４９】
また、この判定は、利用者が操作部２１３を操作して、接続するか否かを決定することにより行なわれてもよい。この場合は、接続要求信号に含まれる識別情報を、インターフェイス２５１、２１６を介して携帯オーディオ装置２１に出力し、出力された識別情報に応じた表示、例えば無線通信が確立され、接続候補であるスピーカ装置１０を特定する表示、例えば装置ＩＤなどの表示を表示部２１４に行う。そして、利用者がこの表示を確認し、操作部２１３を操作して接続候補であるスピーカ装置１０と接続するか否かを決定する。この決定を示す情報がインターフェイス２１６、２５１を介して、通信モジュール２５に出力されることにより、通信制御部２５３は、スピーカ装置１０と接続すべきか否かを判定すればよい。
【０１５０】
＜変形例１５＞
上述した実施形態においては、通信装置２０の携帯オーディオ装置２１と通信モジュール２５とは接続されている状態での動作を説明したが、携帯オーディオ装置２１と通信モジュール２５とが接続されていない場合には、通信モジュール２５は動作せず、通信装置２０がスピーカ装置１０の通信範囲内に入っても、無線通信は確立されない。
【０１５１】
そして、スピーカ装置１０の通信範囲内で、携帯オーディオ装置２１と通信モジュール２５とを接続すると、携帯オーディオ装置２１内の図示しない電源部から電力の供給を受け、通信モジュール２５内の無線通信部２５２、通信制御部２５３が動作を開始し、通信可能な相手の検出を行い、スピーカ装置１０と通信装置２０との間で無線通信が確立され、その後は実施形態と同様にして、スピーカ装置１０の増幅部１０３への電力の供給が開始され、スピーカ装置１０から携帯オーディオ装置２１で再生されたオーディオ信号Ｓｉｎが放音されることになる。
【０１５２】
その後、携帯オーディオ装置２１から通信モジュール２５が取り外され、互いの接続が解除されると、再び通信モジュール２５は動作しなくなる。したがって、無線通信の確立ができなくなり、切断条件が満たされてスピーカ装置１０の増幅部１０３への電力の供給が停止され、スピーカ装置１０からの放音が停止する。このように、携帯オーディオ装置２１に対して、通信モジュール２５の接続、取り外しにより、他に何等操作の必要もなく、感覚的な操作のみでもスピーカ装置１０の電源操作を可能とすることができる。
【図面の簡単な説明】
【０１５３】
【図１】実施形態に係るオーディオシステムの構成を示す説明図である。
【図２】実施形態に係るオーディオシステムの外観を示す説明図である。
【図３】実施形態に係るスピーカ装置の構成を示すブロック図である。
【図４】実施形態に係る通信装置の構成を示すブロック図である。
【図５】実施形態に係るスピーカ装置と通信装置との無線通信の説明図である。
【図６】実施形態に係るスピーカ装置と通信装置との接続時における無線通信の説明図である。
【図７】図６に続く無線通信の説明図である。
【図８】図７に続く無線通信の説明図である。
【図９】図８に続く無線通信の説明図である。
【図１０】図９に続く無線通信の説明図である。
【図１１】実施形態に係るスピーカ装置と通信装置との接続時における各ボリューム値の変化を示す説明図である。
【図１２】実施形態係る接続リストについての説明図である。
【図１３】変形例１に係る変換テーブルについての説明図である。
【図１４】変形例２に係るスピーカ装置の構成を示すブロック図である。
【図１５】変形例４に係るスピーカ装置と通信装置との接続時における無線通信の説明図である。
【図１６】変形例４に係るスピーカ装置と通信装置との接続時における各ボリューム値の変化を示す説明図である。
【符号の説明】
【０１５４】
１…オーディオシステム、１０，１０Ａ，１０−１，１０−２，１０−３…スピーカ装置、１０Ｂ…映像表示装置、２０…通信装置、２１…携帯オーディオ装置、２５…通信モジュール、１００，１００Ａ…オーディオ信号処理装置、１０１…制御部、１０２…電力供給部、１０３…増幅部、１０５…入力部、１１０…操作部、１１０Ａ，１１０Ｂ…操作子、１１１…記憶部、１２０…放音部、１３０…表示部、１５０…通信部、１５１…無線通信部、１５２…通信制御部、１８０…発光部、２１０…バス、２１１…制御部、２１２…記憶部、２１３…操作部、２１４…表示部、２１５…音声出力部、２１６…インターフェイス、２５１…インターフェイス、２５２…無線通信部、２５３…通信制御部、２５５…操作部
【図１】
2010056970.tif 000003
【図２】
2010056970.tif 000004
【図３】
2010056970.tif 000005
【図４】
2010056970.tif 000006
【図５】
2010056970.tif 000007
【図６】
2010056970.tif 000008
【図７】
2010056970.tif 000009
【図８】
2010056970.tif 000010
【図９】
2010056970.tif 000011
【図１０】
2010056970.tif 000012
【図１１】
2010056970.tif 000013
【図１２】
2010056970.tif 000014
【図１３】
2010056970.tif 000015
【図１４】
2010056970.tif 000016
【図１５】
2010056970.tif 000017
【図１６】
2010056970.tif 000018